【手続補正書】
【提出日】平成27年10月1日(2015.10.1)
【手続補正１】
【補正対象書類名】特許請求の範囲
【補正対象項目名】全文
【補正方法】変更
【補正の内容】
【特許請求の範囲】
【請求項１】
開ループ電力制御と閉ループ電力制御とを組み合わせた電力制御スキームを備え、電力制御プリアンブルを用いた電力制御のための方法であって、
ダウンリンク通信において、基地局からアップリンク許可を受信することであって、前記アップリンク許可は、アップリンク不活動後における第１のアップリンク許可であることと、
前記アップリンク許可に応答して、前記開ループ電力制御と前記閉ループ電力制御の組み合わせから選択された電力制御スキームに基づく電力設定で前記基地局に電力制御プリアンブルを送信することであって、前記選択された電力制御スキームは、前記ダウンリンク通信に関連して入手した電力値に基づいて前記電力設定を行うことと、
前記ダウンリンク通信において、前記基地局から電力制御コマンドを受信することであって、前記電力制御コマンドは、前記基地局において、前記電力制御プリアンブルを解析することにより生成され、前記基地局へのデータの送信に先立って前記電力設定を調整するのに用いられることと、
前記調整された電力設定で前記基地局にデータを送信することと、を備える、方法。
【請求項２】
前記電力制御プリアンブルは、所定の送信時間間隔（ＴＴＩ）においてホップを採用することによってシステム帯域幅の一部又は全体においてチャネルをサウンディングするアップリンク送信である請求項１に記載の方法。
【請求項３】
前記電力制御プリアンブルは、単一時間サウンディング基準信号（ＳＲＳ）送信である請求項１に記載の方法。
【請求項４】
前記電力制御プリアンブルは、アップリンクデータチャネルにおける非周期的チャネル品質インジケータ（ＣＱＩ）報告である請求項１に記載の方法。
【請求項５】
前記アップリンク許可において明示で指定される資源、変調、又はコーディングのうちの少なくとも１つを利用して前記アップリンク許可に応答して前記電力制御プリアンブルを送信することと、
前記電力制御コマンドとともに前記基地局から第２のアップリンク許可を受信することと、
前記電力制御コマンドとともに受信された前記第２のアップリンク許可を利用することによって前記基地局に前記データを送信すること、とをさらに備える請求項１に記載の方法。
【請求項６】
予め決められた資源、予め決められた変調、又は予め決められたコーディングのうちの少なくとも１つを利用して前記アップリンク許可に応答して前記電力制御プリアンブルを送信することであって、前記予め決められた資源、前記予め決められた変調又は前記予め決められたコーディングのうちの前記少なくとも１つは、前記アップリンク許可の受信前にアクセス端末及び前記基地局に説明されることと、
前記電力制御コマンドの受信前に受信された前記アップリンク許可を利用することによって前記基地局に前記データを送信すること、とをさらに備える請求項１に記載の方法。
【請求項７】
前記データ送信に応答して前記電力制御コマンドを受信することをさらに備える請求項１に記載の方法。
【請求項８】
開ループ評価スキームと閉ループ評価スキームとを組み合わせた評価スキームを用いる無線通信装置であって、
ダウンリンク通信において、基地局からアップリンク許可を入手することであって、前記アップリンク許可はアップリンク不活動後における第１のアップリンク許可であること、前記アップリンク許可に応答して、前記開ループ評価スキームと前記閉ループ評価スキームの組み合わせから選択された評価スキームに基づいて電力制御プリアンブルの送信に関する電力レベルを決定することであって、前記選択された評価スキームは、前記ダウンリンク通信に関連して入手した電力値に基づいて前記電力レベルを決定すること、前記電力レベルで前記基地局に前記電力制御プリアンブルを送信すること、前記ダウンリンク通信において、前記基地局から電力制御コマンドを受信することであって、前記電力制御コマンドは、前記基地局において、前記電力制御プリアンブルを解析することにより生成されることと、前記基地局へのアップリンクデータの送信に先立って前記電力制御コマンドに基づいて前記電力レベルを変更すること、及び前記電力制御コマンドに従って変更されている電力レベルで前記基地局にアップリンクデータ送信を送ることに関連する命令を保持するメモリと、
前記メモリに結合され、前記メモリ内に保持される前記命令を実行するように構成されたプロセッサと、を備える、無線通信装置。
【請求項９】
前記電力制御プリアンブルは、所定の送信時間間隔（ＴＴＩ）においてホップを採用することによってシステム帯域幅の一部又は全体においてチャネルをサウンディングするアップリンク送信である請求項８に記載の無線通信装置。
【請求項１０】
前記電力制御プリアンブルは、単一時間サウンディング基準信号（ＳＲＳ）送信である請求項８に記載の無線通信装置。
【請求項１１】
前記電力制御プリアンブルは、アップリンクデータチャネルにおける非周期的チャネル品質インジケータ（ＣＱＩ）報告である請求項８に記載の無線通信装置。
【請求項１２】
前記メモリは、前記アップリンク許可において明示で指定される情報を利用して前記アップリンク許可に応答して前記電力制御プリアンブルを送信すること、前記電力制御コマンドとともに前記基地局から第２のアップリンク許可を入手すること、及び前記電力制御コマンドと同時並行して入手された前記第２のアップリンク許可を利用することによって前記アップリンクデータ送信を送ることに関連する命令をさらに保持する請求項８に記載の無線通信装置。
【請求項１３】
前記メモリは、前記アップリンク許可を入手する前にアクセス端末及び前記基地局に関して予め設定された予め決められた情報を利用して前記アップリンク許可に応答して前記電力制御プリアンブルを送信すること、及び前記電力制御コマンドを入手する前に受信された前記アップリンク許可を利用することによって前記アップリンクデータ送信を送ることに関連する命令をさらに保持する請求項８に記載の無線通信装置。
【請求項１４】
前記メモリは、前記アップリンクデータ送信に応答して電力制御コマンドを入手することに関連する命令をさらに保持する請求項８に記載の無線通信装置。
【請求項１５】
開ループ電力制御と閉ループ電力制御とを組み合わせた電力制御スキームを用いる無線通信装置であって、
ダウンリンク通信において、アップリンク許可を入手するための手段であって、前記アップリンク許可はアップリンク不活動後における第１のアップリンク許可である手段と、
前記アップリンク許可に応答して、前記開ループ電力制御と前記閉ループ電力制御の組み合わせから選択された電力制御スキームによって電力制御推定値の関数として選択された電力レベルでアップリンク電力制御プリアンブルを転送するための手段であって、前記選択された電力制御スキームは、前記ダウンリンク通信に関連して入手した電力値に基づいて前記電力レベルを選択する手段と、
基地局へのアップリンクデータの送信に先立って、前記ダウンリンク通信において、前記電力レベルを変更する電力制御コマンドを入手するための手段であって、前記電力制御コマンドは、前記基地局において、前記アップリンク電力制御プリアンブルを解析することにより生成される手段と、
前記変更された電力レベルでアップリンクデータを送信するための手段と、を備える、無線通信装置。
【請求項１６】
前記アップリンク電力制御プリアンブルは、チャネルをサウンディングし及び所定の送信時間間隔（ＴＴＩ）においてホップを採用することによってシステム帯域幅の一部又は全体にわたるアップリンク送信である請求項１５に記載の無線通信装置。
【請求項１７】
前記アップリンク電力制御プリアンブルは、単一時間サウンディング基準信号（ＳＲＳ）送信である請求項１５に記載の無線通信装置。
【請求項１８】
前記アップリンク電力制御プリアンブルは、アップリンクデータチャネルにおける非周期的チャネル品質インジケータ（ＣＱＩ）報告である請求項１５に記載の無線通信装置。
【請求項１９】
前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送するための手段と、
前記電力制御コマンドと同時並行して第２のアップリンク許可を入手するための手段と、
前記電力制御コマンドと同時並行して入手された前記第２のアップリンク許可に応答して前記アップリンクデータを送信するための手段と、をさらに備える請求項１５に記載の無線通信装置。
【請求項２０】
前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送するための手段と、
前記電力制御コマンドを入手する前に受信された前記アップリンク許可を利用することによって前記アップリンクデータを送信するための手段と、をさらに備える請求項１５に記載の無線通信装置。
【請求項２１】
前記アップリンクデータ送信に応答して電力制御コマンドを入手するための手段をさらに備える請求項１５に記載の無線通信装置。
【請求項２２】
開ループ電力制御と閉ループ電力制御とを組み合わせた電力制御スキームを用いる電力制御において、機械によって読み取り可能な媒体であって、
ダウンリンク通信において、アップリンク許可を入手し、
前記アップリンク許可に応答して、前記開ループ電力制御と前記閉ループ電力制御の組み合わせから選択された電力制御スキームによって電力制御推定値の関数として選択された電力レベルでアップリンク電力制御プリアンブルを転送することであって、前記選択された電力制御スキームは、前記ダウンリンク通信に関連して入手した電力値に基づいて前記電力レベルを選択し、基地局へのアップリンクデータの送信に先立って、前記ダウンリンク通信において、前記電力レベルを変更する電力制御コマンドを入手することであって、前記電力制御コマンドは、前記基地局において、前記アップリンク電力制御プリアンブルを解析することにより生成され、及び
前記変更された電力レベルでアップリンクデータを送信するための機械によって実行可能な命令であって、前記アップリンク許可は、アップリンク不活動後における第１のアップリンク許可である命令、を格納している、機械によって読み取り可能な媒体。
【請求項２３】
前記アップリンク電力制御プリアンブルは、チャネルをサウンディングし及び所定の送信時間間隔（ＴＴＩ）においてホップを採用することによってシステム帯域幅の一部又は全体にわたるアップリンク送信である請求項２２に記載の機械によって読み取り可能な媒体。
【請求項２４】
前記アップリンク電力制御プリアンブルは、単一時間サウンディング基準信号（ＳＲＳ）送信である請求項２２に記載の機械によって読み取り可能な媒体。
【請求項２５】
前記アップリンク電力制御プリアンブルは、アップリンクデータチャネルにおける非周期的チャネル品質インジケータ（ＣＱＩ）報告である請求項２２に記載の機械によって読み取り可能な媒体。
【請求項２６】
前記機械によって実行可能な命令は、前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送することと、前記電力制御コマンドと同時並行して第２のアップリンク許可を入手することと、前記電力制御コマンドと同時並行して入手された前記第２のアップリンク許可に応答して前記アップリンクデータを送信すること、とをさらに備える請求項２２に記載の機械によって読み取り可能な媒体。
【請求項２７】
前記機械によって実行可能な命令は、前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送することと、前記電力制御コマンドを入手する前に受信された前記アップリンク許可を利用することによって前記アップリンクデータを送信すること、とをさらに備える請求項２２に記載の機械によって読み取り可能な媒体。
【請求項２８】
前記機械によって実行可能な命令は、前記アップリンクデータ送信に応答して電力制御コマンドを入手することをさらに備える請求項２２に記載の機械によって読み取り可能な媒体。
【請求項２９】
開ループ評価スキームと閉ループ評価スキームとを組み合わせた評価スキームを用いる無線通信システムにおいて、
ダウンリンク通信において、基地局からアップリンク許可を入手し、
前記アップリンク許可に応答して、前記開ループ評価スキームと前記閉ループ評価スキームの組み合わせから選択された評価スキームに基づいて電力制御プリアンブルの送信に関する電力レベルを決定することであって、前記選択された評価スキームは、前記ダウンリンク通信に関連して入手した電力値に基づいて前記電力レベルを決定し、
前記電力レベルで前記基地局に前記電力制御プリアンブルを送信し、
前記ダウンリンク通信において、前記基地局から電力制御コマンドを受信することであって、前記電力制御コマンドは、前記基地局において、前記電力制御プリアンブルを解析することにより生成され、
前記基地局へのアップリンクデータの送信に先立って前記電力制御コマンドに基づいて前記電力レベルを変更し、及び
前記変更された電力レベルで前記基地局にアップリンクデータ送信を送るように構成されたプロセッサであって、前記アップリンク許可は、アップリンク不活動後における第１のアップリンク許可であるプロセッサ、を備える装置。
【請求項３０】
無線通信環境において、開ループ電力制御と閉ループ電力制御とを組み合わせた電力制御スキームを用いた電力制御方法であって、
ダウンリンク通信において、アクセス端末にアップリンク許可を送信することと、
前記アップリンク許可に応答して、前記開ループ電力制御と前記閉ループ電力制御の組み合わせから選択された電力制御スキームに基づいて設定された電力レベルで前記アクセス端末から送信された電力制御プリアンブルを受信することであって、前記選択された電力制御スキームは、前記ダウンリンク通信に関連して入手した電力値に基づいて前記電力レベルを設定することと、
前記電力制御プリアンブルの解析に基づいて電力制御コマンドを生成することであって、前記電力制御コマンドは、前記アクセス端末の前記電力レベルを訂正するのに用いられることと、
前記アクセス端末からのアップリンクデータ送信の受信に先立って、前記ダウンリンク通信において、前記電力制御コマンドを前記アクセス端末に送信することと、
前記訂正された電力レベルで前記アクセス端末から送られた前記アップリンクデータ送信を受信すること、とを備える、方法。
【請求項３１】
前記電力制御プリアンブルは、チャネルをサウンディングし及び所定の送信時間間隔（ＴＴＩ）においてホップを採用することによってシステム帯域幅の一部又は全体にわたるアップリンク送信である請求項３０に記載の方法。
【請求項３２】
前記電力制御プリアンブルは、単一時間サウンディング基準信号（ＳＲＳ）送信である請求項３０に記載の方法。
【請求項３３】
前記電力制御プリアンブルは、アップリンクデータチャネルにおける非周期的チャネル品質インジケータ（ＣＱＩ）報告である請求項３０に記載の方法。
【請求項３４】
前記電力制御プリアンブルを送信時に前記アクセス端末によって用いるために明示で指定された情報とともに前記アップリンク許可を送信することと、
前記電力制御コマンドと同時並行して第２のアップリンク許可を送信することと、
前記電力制御コマンドと同時並行して送信された前記第２のアップリンク許可に応答して送られた前記アップリンクデータ送信を受信すること、とをさらに備える請求項３０に記載の方法。
【請求項３５】
前記アップリンク許可の送信前に前記アクセス端末及び基地局に関して定義された予め決められた情報を利用して前記アップリンク許可に応答して前記アクセス端末から送信された前記電力制御プリアンブルを受信することと、
前記電力制御コマンドの送信前に送信された前記アップリンク許可を利用することによって前記アクセス端末から送られた前記アップリンクデータ送信を受信すること、とをさらに備える請求項３０に記載の方法。
【請求項３６】
前記アップリンクデータ送信に応答して電力制御コマンドを送信することをさらに備える請求項３０に記載の方法。
【請求項３７】
開ループ電力制御と閉ループ電力制御とを組み合わせた電力制御機構を用いた無線通信装置であって、
ダウンリンク通信において、アップリンク許可を転送すること、前記アップリンク許可に応答して、前記開ループ電力制御と前記閉ループ電力制御の組み合わせから選択された電力制御機構によって決定された電力レベルでアップリンクを介して送信された電力制御プリアンブルを入手することであって、前記選択された電力制御機構は、前記ダウンリンク通信に関連して入手した電力値に基づいて前記電力レベルを決定すること、前記電力制御プリアンブルの評価に基づいて前記電力レベルを訂正する電力制御コマンドを生成すること、
アップリンクデータ送信の入手に先立って、前記ダウンリンク通信において、前記電力制御コマンドを送信すること、及び前記訂正された電力レベルで送られた前記アップリンクデータ送信を入手することに関連する命令を保持するメモリと、
前記メモリに結合され、前記メモリ内に保持される前記命令を実行するように構成されたプロセッサと、を備える、無線通信装置。
【請求項３８】
前記電力制御プリアンブルは、チャネルをサウンディングし及び所定の送信時間間隔（ＴＴＩ）においてホップを採用することによってシステム帯域幅の一部又は全体にわたるアップリンク送信である請求項３７に記載の無線通信装置。
【請求項３９】
前記電力制御プリアンブルは、単一時間サウンディング基準信号（ＳＲＳ）送信である請求項３７に記載の無線通信装置。
【請求項４０】
前記電力制御プリアンブルは、アップリンクデータチャネルにおける非周期的チャネル品質インジケータ（ＣＱＩ）報告である請求項３７に記載の無線通信装置。
【請求項４１】
前記メモリは、前記電力制御プリアンブルを送信時にアクセス端末によって用いるために明示で指定された情報とともに前記アップリンク許可を転送すること、前記ダウンリンクを介して前記電力制御コマンドと同時並行して第２のアップリンク許可を送信すること、及び前記電力制御コマンドと同時並行して送信された前記第２のアップリンク許可に応答して送られた前記アップリンクデータ送信を入手することに関連する命令をさらに保持する請求項３７に記載の無線通信装置。
【請求項４２】
前記メモリは、前記アップリンク許可の転送前にアクセス端末及び基地局に関して定義された予め決められた情報を利用して前記アップリンク許可に応答して送信された前記電力制御プリアンブルを入手すること、及び前記電力制御コマンドの送信前に転送された前記アップリンク許可を利用することによって送られた前記アップリンクデータ送信を入手することに関連する命令をさらに保持する請求項３７に記載の無線通信装置。
【請求項４３】
前記メモリは、前記アップリンクデータ送信に応答して電力制御コマンドを転送することに関連する命令をさらに保持する請求項３７に記載の無線通信装置。
【請求項４４】
開ループ電力制御と閉ループ電力制御とを組み合わせた電力制御スキームを備え、アクセス端末によって利用するための電力制御プリアンブルを解析することにより電力制御コマンドを生成する無線通信装置であって、
ダウンリンク通信においてアップリンク許可を送信するための手段と、
前記アップリンク許可に応答して、前記開ループ電力制御と前記閉ループ電力制御の組み合わせから選択された電力制御スキームによって推定値から決定された電力レベルで送信された電力制御プリアンブルを入手するための手段であって、前記選択された電力制御スキームは、前記ダウンリンク通信に関連して入手した電力値に基づいて前記電力レベルを決定することと、
アップリンクデータ送信の入手に先立って、前記ダウンリンク通信において、前記電力レベルを訂正する電力制御コマンドを送信するための手段と、
前記訂正された電力レベルで前記アップリンクデータ送信を入手するための手段と、を備える、無線通信装置。
【請求項４５】
前記電力制御プリアンブルは、チャネルをサウンディングし及び所定の送信時間間隔（ＴＴＩ）においてホップを採用することによってシステム帯域幅全体の一部にわたるアップリンク送信である請求項４４に記載の無線通信装置。
【請求項４６】
前記電力制御プリアンブルは、単一時間サウンディング基準信号（ＳＲＳ）送信である請求項４４に記載の無線通信装置。
【請求項４７】
前記電力制御プリアンブルは、アップリンクデータチャネルにおける非周期的チャネル品質インジケータ（ＣＱＩ）報告である請求項４４に記載の無線通信装置。
【請求項４８】
前記電力制御プリアンブルの送信を明示でスケジューリングするための手段と、
前記電力制御プリアンブルを送信時にアクセス端末によって利用するために明示で指定された情報とともに前記アップリンク許可を送信するための手段と、
前記ダウンリンクを介して前記電力制御コマンドと同時並行して第２のアップリンク許可を送信するための手段と、
前記第２のアップリンク許可に応答して送られた前記アップリンクデータ送信を入手するための手段と、をさらに備える請求項４４に記載の無線通信装置。
【請求項４９】
前記電力制御プリアンブルの送信を暗黙にスケジューリングするための手段と、
前記アップリンク許可を送信する前にアクセス端末及び基地局に関して説明された予め決められた情報を利用して前記アップリンク許可に応答して送信された前記電力制御プリアンブルを入手するための手段と、
前記電力制御コマンドの送信前に転送された前記アップリンク許可を利用することによって送られた前記アップリンクデータ送信を入手するための手段と、をさらに備える請求項４４に記載の無線通信装置。
【請求項５０】
前記アップリンクデータ送信に応答して電力制御コマンドを転送するための手段をさらに備える請求項４４に記載の無線通信装置。
【請求項５１】
開ループ電力制御と閉ループ電力制御とを組み合わせた電力制御スキームを用いる電力制御において、機械によって読み取り可能な媒体であって、
ダウンリンク通信においてアップリンク許可を送信し、
前記アップリンク許可に応答して、前記開ループ電力制御と前記閉ループ電力制御の組み合わせから選択された電力制御スキームによって推定値から決定された電力レベルで送信された電力制御プリアンブルを入手することであって、前記選択された電力制御スキームは、前記ダウンリンク通信に関連して入手した電力値に基づいて前記電力レベルを決定し、
アップリンクデータ送信の入手に先立って、前記ダウンリンク通信において、前記電力レベルを訂正する電力制御コマンドを送信することであって、前記電力制御コマンドは、前記電力制御プリアンブルを解析することにより生成され、及び
前記訂正された電力レベルで前記アップリンクデータ送信を入手するための機械によって実行可能な命令を格納している、機械によって読み取り可能な媒体。
【請求項５２】
前記電力制御プリアンブルは、チャネルをサウンディングし及び所定の送信時間間隔（ＴＴＩ）においてホップを採用することによってシステム帯域幅の一部又は全体にわたるアップリンク送信である請求項５１に記載の機械によって読み取り可能な媒体。
【請求項５３】
前記電力制御プリアンブルは、単一時間サウンディング基準信号（ＳＲＳ）送信である請求項５１に記載の機械によって読み取り可能な媒体。
【請求項５４】
前記電力制御プリアンブルは、アップリンクデータチャネルにおける非周期的チャネル品質インジケータ（ＣＱＩ）報告である請求項５１に記載の機械によって読み取り可能な媒体。
【請求項５５】
前記機械によって実行可能な命令は、前記電力制御プリアンブルの送信を明示でスケジューリングすることと、前記電力制御プリアンブルを送信時にアクセス端末によって利用するために明示で指定された情報とともに前記アップリンク許可を送信することと、前記ダウンリンクを介して前記電力制御コマンドと同時並行して第２のアップリンク許可を送信することと、前記第２のアップリンク許可に応答して送られた前記アップリンクデータ送信を入手すること、とをさらに備える請求項５１に記載の機械によって読み取り可能な媒体。
【請求項５６】
前記機械によって実行可能な命令は、前記電力制御プリアンブルの送信を暗黙にスケジューリングすることと、前記アップリンク許可を送信する前にアクセス端末及び基地局に関して説明された予め決められた情報を利用して前記アップリンク許可に応答して送信された前記電力制御プリアンブルを入手することと、前記電力制御コマンドの送信前に転送された前記アップリンク許可を利用することによって送られた前記アップリンクデータ送信を入手すること、とをさらに備える請求項５１に記載の機械によって読み取り可能な媒体。
【請求項５７】
前記機械によって実行可能な命令は、前記アップリンクデータ送信に応答して電力制御コマンドを転送することをさらに備える請求項５１に記載の機械によって読み取り可能な媒体。
【請求項５８】
開ループ電力制御と閉ループ電力制御の組み合わせから選択された電力制御スキームを用いる無線通信システムにおいて、
ダウンリンク通信において、アクセス端末にアップリンク許可を送信し、
前記アップリンク許可に応答して、前記開ループ電力制御と前記閉ループ電力制御の組み合わせから選択された電力制御スキームに基づいて設定された電力レベルで前記アクセス端末から送信された電力制御プリアンブルを受信することであって、前記選択された電力制御スキームは、前記ダウンリンク通信に関連して入手した電力値に基づいて前記電力レベルを設定し、
前記電力制御プリアンブルの解析に基づいて電力制御コマンドを生成し、
前記アクセス端末からのアップリンクデータ送信の受信に先立って、前記ダウンリンク通信において、前記電力制御コマンドを前記アクセス端末に送信し、及び
前記訂正された電力レベルで前記アクセス端末から送られた前記アップリンクデータ送信を受信するように構成されたプロセッサであって、前記電力制御コマンドは、前記アクセス端末の前記電力レベルを訂正するプロセッサ、を備える装置。
【手続補正２】
【補正対象書類名】明細書
【補正対象項目名】０１０６
【補正方法】変更
【補正の内容】
【０１０６】
上述されていることは、１つ以上の実施形態の例を含む。当然のことであるが、上記の実施形態を説明することを目的として構成要素又は方法の考えられるあらゆる組み合わせを説明することは可能ではないが、様々な実施形態のさらに数多くの組み合わせ及び置換が可能であることを当業者は認識することができる。従って、説明される実施形態は、添付された請求項の精神又は適用範囲内にあるあらゆる変更、修正及び変形を包含することが意図されている。さらに、発明を実施するための形態又は請求項の範囲において“含む”という表現が用いられている限りにおいて、該表現は、“備える”という表現が請求項において移行語として採用されたときの解釈と同様の包含性を有することが意図されている。
以下に、本願出願の当初の特許請求の範囲に記載された発明を付記する。
［Ｃ１］  無線通信環境において利用するために電力制御プリアンブルを生成するのを容易にする方法であって、
基地局からアップリンク許可を受信することであって、前記アップリンク許可は、アップリンク不活動後における第１のアップリンク許可であることと、
開ループ電力制御に基づく電力設定で前記基地局に電力制御プリアンブルを送信することと、
前記基地局から電力制御コマンドを受信することであって、前記電力制御コマンドは、前記電力設定を調整することと、
前記調整された電力設定で前記基地局にデータを送信すること、とを備える、方法。
［Ｃ２］  前記電力制御プリアンブルは、所定の送信時間間隔（ＴＴＩ）においてホップを採用することによってシステム帯域幅の一部又は全体においてチャネルをサウンディングするアップリンク送信であるＣ１に記載の方法。
［Ｃ３］  前記電力制御プリアンブルは、単一時間サウンディング基準信号（ＳＲＳ）送信であるＣ１に記載の方法。
［Ｃ４］  前記電力制御プリアンブルは、アップリンクデータチャネルにおける非周期的チャネル品質インジケータ（ＣＱＩ）報告であるＣ１に記載の方法。
［Ｃ５］  前記電力制御プリアンブルの送信特性が明示で示されるＣ１に記載の方法。
［Ｃ６］  前記アップリンク許可において明示で指定される資源、変調、又はコーディングのうちの少なくとも１つを利用して前記アップリンク許可に応答して前記電力制御プリアンブルを送信することと、
前記電力制御コマンドとともに前記基地局から第２のアップリンク許可を受信することと、
前記電力制御コマンドとともに受信された前記第２のアップリンク許可を利用することによって前記基地局に前記データを送信すること、とをさらに備えるＣ５に記載の方法。
［Ｃ７］  前記電力制御プリアンブルの送信特性が暗黙に示されるＣ１に記載の方法。
［Ｃ８］  予め決められた資源、予め決められた変調、又は予め決められたコーディングのうちの少なくとも１つを利用して前記アップリンク許可に応答して前記電力制御プリアンブルを送信することであって、前記予め決められた資源、前記予め決められた変調又は前記予め決められたコーディングのうちの前記少なくとも１つは、前記アップリンク許可の受信前にアクセス端末及び前記基地局に説明されることと、
前記電力制御コマンドの受信前に受信された前記アップリンク許可を利用することによって前記基地局に前記データを送信すること、とをさらに備えるＣ７に記載の方法。
［Ｃ９］  前記データ送信に応答して電力制御コマンドを受信することをさらに備えるＣ１に記載の方法。
［Ｃ１０］  無線通信装置であって、
基地局からアップリンク許可を入手することであって、前記アップリンク許可はアップリンク不活動後における第１のアップリンク許可であること、開ループ評価に基づいて電力制御プリアンブル送信に関する電力レベルを決定すること、前記電力レベルで前記基地局に電力制御プリアンブルを送信すること、前記基地局から電力制御コマンドを受信すること、前記電力制御コマンドに基づいて前記電力レベルを変更すること、及び前記電力制御コマンドに従って変更されている電力レベルで前記基地局にアップリンクデータ送信を送ることに関連する命令を保持するメモリと、
前記メモリに結合され、前記メモリ内に保持される前記命令を実行するように構成されたプロセッサと、を備える、無線通信装置。
［Ｃ１１］  前記電力制御プリアンブルは、所定の送信時間間隔（ＴＴＩ）においてホップを採用することによってシステム帯域幅の一部又は全体においてチャネルをサウンディングするアップリンク送信であるＣ１０に記載の無線通信装置。
［Ｃ１２］  前記電力制御プリアンブルは、単一時間サウンディング基準信号（ＳＲＳ）送信であるＣ１０に記載の無線通信装置。
［Ｃ１３］  前記電力制御プリアンブルは、アップリンクデータチャネルにおける非周期的チャネル品質インジケータ（ＣＱＩ）報告であるＣ１０に記載の無線通信装置。
［Ｃ１４］  前記電力制御プリアンブルの送信特性が明示で示されるＣ１０に記載の無線通信装置。
［Ｃ１５］  前記メモリは、前記アップリンク許可において明示で指定される情報を利用して前記アップリンク許可に応答して前記電力制御プリアンブルを送信すること、前記電力制御コマンドとともに前記基地局から第２のアップリンク許可を入手すること、及び前記電力制御コマンドと同時並行して入手された前記第２のアップリンク許可を利用することによって前記アップリンクデータ送信を送ることに関連する命令をさらに保持するＣ１４に記載の無線通信装置。
［Ｃ１６］  前記電力制御プリアンブルの送信特性が暗黙に示されるＣ１０に記載の無線通信装置。
［Ｃ１７］  前記メモリは、前記アップリンク許可を入手する前にアクセス端末及び前記基地局に関して予め設定された予め決められた情報を利用して前記アップリンク許可に応答して前記電力制御プリアンブルを送信すること、及び前記電力制御コマンドを入手する前に受信された前記アップリンク許可を利用することによって前記アップリンクデータ送信を送ることに関連する命令をさらに保持するＣ１６に記載の無線通信装置。
［Ｃ１８］  前記メモリは、前記アップリンクデータ送信に応答して電力制御コマンドを入手することに関連する命令をさらに保持するＣ１０に記載の無線通信装置。
［Ｃ１９］  無線通信環境において電力制御プリアンブルを利用するのを可能にする無線通信装置であって、
アップリンク許可を入手するための手段であって、前記アップリンク許可はアップリンク不活動後における第１のアップリンク許可である手段と、
開ループ電力制御推定値の関数として選択された電力レベルでアップリンク電力制御プリアンブルを転送するための手段と、
前記電力レベルを変更する電力制御コマンドを入手するための手段と、
前記変更された電力レベルでアップリンクデータを送信するための手段と、を備える、無線通信装置。
［Ｃ２０］  前記アップリンク電力制御プリアンブルは、チャネルをサウンディングし及び所定の送信時間間隔（ＴＴＩ）においてホップを採用することによってシステム帯域幅の一部又は全体にわたるアップリンク送信であるＣ１９に記載の無線通信装置。
［Ｃ２１］  前記アップリンク電力制御プリアンブルは、単一時間サウンディング基準信号（ＳＲＳ）送信であるＣ１９に記載の無線通信装置。
［Ｃ２２］  前記アップリンク電力制御プリアンブルは、アップリンクデータチャネルにおける非周期的チャネル品質インジケータ（ＣＱＩ）報告であるＣ１９に記載の無線通信装置。
［Ｃ２３］  前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送するための手段と、
前記電力制御コマンドと同時並行して第２のアップリンク許可を入手するための手段と、
前記電力制御コマンドと同時並行して入手された前記第２のアップリンク許可に応答して前記アップリンクデータを送信するための手段と、をさらに備えるＣ１９に記載の無線通信装置。
［Ｃ２４］  前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送するための手段と、
前記電力制御コマンドを入手する前に受信された前記アップリンク許可を利用することによって前記アップリンクデータを送信するための手段と、をさらに備えるＣ１９に記載の無線通信装置。
［Ｃ２５］  前記アップリンクデータ送信に応答して電力制御コマンドを入手するための手段をさらに備えるＣ１９に記載の無線通信装置。
［Ｃ２６］  機械によって読み取り可能な媒体であって、
アップリンク許可を入手し、
開ループ電力制御推定値の関数として選択された電力レベルでアップリンク電力制御プリアンブルを転送し、
前記電力レベルを変更する電力制御コマンドを入手し、及び
前記変更された電力レベルでアップリンクデータを送信するための機械によって実行可能な命令であって、前記アップリンク許可は、アップリンク不活動後における第１のアップリンク許可である命令、を格納している、機械によって読み取り可能な媒体。
［Ｃ２７］  前記アップリンク電力制御プリアンブルは、チャネルをサウンディングし及び所定の送信時間間隔（ＴＴＩ）においてホップを採用することによってシステム帯域幅の一部又は全体にわたるアップリンク送信であるＣ２６に記載の機械によって読み取り可能な媒体。
［Ｃ２８］  前記アップリンク電力制御プリアンブルは、単一時間サウンディング基準信号（ＳＲＳ）送信であるＣ２６に記載の機械によって読み取り可能な媒体。
［Ｃ２９］  前記アップリンク電力制御プリアンブルは、アップリンクデータチャネルにおける非周期的チャネル品質インジケータ（ＣＱＩ）報告であるＣ２６に記載の機械によって読み取り可能な媒体。
［Ｃ３０］  前記機械によって実行可能な命令は、前記アップリンク電力制御プリアンブルの転送が明示でスケジューリングされているときに前記アップリンク許可とともに明示で含められている情報を採用することによって前記アップリンク許可に応答して前記アップリンク電力制御プリアンブルを転送することと、前記電力制御コマンドと同時並行して第２のアップリンク許可を入手することと、前記電力制御コマンドと同時並行して入手された前記第２のアップリンク許可に応答して前記アップリンクデータを送信すること、とをさらに備えるＣ２６に記載の機械によって読み取り可能な媒体。
［Ｃ３１］  前記機械によって実行可能な命令は、前記アップリンク電力制御プリアンブルの転送が暗黙にスケジューリングされているときに前記アップリンク許可を入手する前にアクセス端末及び前記基地局によって推測的に知られている予め決められた情報を利用して前記アップリンク許可に応答して前記アップリンク電力制御プリアンブルを転送することと、前記電力制御コマンドを入手する前に受信された前記アップリンク許可を利用することによって前記アップリンクデータを送信すること、とをさらに備えるＣ２６に記載の機械によって読み取り可能な媒体。
［Ｃ３２］  前記機械によって実行可能な命令は、前記アップリンクデータ送信に応答して電力制御コマンドを入手することをさらに備えるＣ２６に記載の機械によって読み取り可能な媒体。
［Ｃ３３］  無線通信システムにおいて、
基地局からアップリンク許可を入手し、
開ループ評価に基づいて電力制御プリアンブル送信に関する電力レベルを決定し、
前記電力レベルで前記基地局に電力制御プリアンブルを送信し、
前記基地局から電力制御コマンドを受信し、
前記電力制御コマンドに基づいて前記電力レベルを変更し、及び
前記変更された電力レベルで前記基地局にアップリンクデータ送信を送るように構成されたプロセッサであって、前記アップリンク許可は、アップリンク不活動後における第１のアップリンク許可であるプロセッサ、を備える装置。
［Ｃ３４］  無線通信環境において電力制御とともに採用するために電力制御プリアンブルを評価するのを容易にする方法であって、
アクセス端末にアップリンク許可を送信することと、
開ループ電力制御に基づいて設定された電力レベルで前記アクセス端末から送信された電力制御プリアンブルを受信することと、
前記電力制御プリアンブルの解析に基づいて電力制御コマンドを生成することであって、前記電力制御コマンドは、前記アクセス端末の前記電力レベルを訂正することと、
前記電力制御コマンドを前記アクセス端末に送信することと、
前記訂正された電力レベルで前記アクセス端末から送られたアップリンクデータ送信を受信すること、とを備える、方法。
［Ｃ３５］  前記電力制御プリアンブルは、チャネルをサウンディングし及び所定の送信時間間隔（ＴＴＩ）においてホップを採用することによってシステム帯域幅の一部又は全体にわたるアップリンク送信であるＣ３４に記載の方法。
［Ｃ３６］  前記電力制御プリアンブルは、単一時間サウンディング基準信号（ＳＲＳ）送信であるＣ３４に記載の方法。
［Ｃ３７］  前記電力制御プリアンブルは、アップリンクデータチャネルにおける非周期的チャネル品質インジケータ（ＣＱＩ）報告であるＣ３４に記載の方法。
［Ｃ３８］  前記アクセス端末からの前記電力制御プリアンブルの送信を明示でスケジューリングすることをさらに備えるＣ３４に記載の方法。
［Ｃ３９］  前記電力制御プリアンブルを送信時に前記アクセス端末によって用いるために明示で指定された情報とともに前記アップリンク許可を送信することと、
前記電力制御コマンドと同時並行して第２のアップリンク許可を送信することと、
前記電力制御コマンドと同時並行して送信された前記第２のアップリンク許可に応答して送られた前記アップリンクデータ送信を受信すること、とをさらに備えるＣ３８に記載の方法。
［Ｃ４０］  前記アクセス端末からの前記電力制御プリアンブルの送信を暗黙にスケジューリングすることをさらに備えるＣ３４に記載の方法。
［Ｃ４１］  前記アップリンク許可の送信前に前記アクセス端末及び基地局に関して定義された予め決められた情報を利用して前記アップリンク許可に応答して前記アクセス端末から送信された前記電力制御プリアンブルを受信することと、
前記電力制御コマンドの送信前に送信された前記アップリンク許可を利用することによって前記アクセス端末から送られた前記アップリンクデータ送信を受信すること、とをさらに備えるＣ４０に記載の方法。
［Ｃ４２］  トリガー条件の発生時に前記アップリンクデータ送信に応答して電力制御コマンドを送信することをさらに備えるＣ３４に記載の方法。
［Ｃ４３］  無線通信装置であって、アップリンク許可を転送すること、開ループ電力機構によって決定された電力レベルでアップリンクを介して送信された電力制御プリアンブルを入手すること、前記電力制御プリアンブルの評価に基づいて前記電力レベルを訂正する電力制御コマンドを生成すること、ダウンリンクを介して前記電力制御コマンドを送信すること、及び前記訂正された電力レベルで送られたアップリンクデータ送信を入手することに関連する命令を保持するメモリと、
前記メモリに結合され、前記メモリ内に保持される前記命令を実行するように構成されたプロセッサと、を備える、無線通信装置。
［Ｃ４４］ 前記電力制御プリアンブルは、チャネルをサウンディングし及び所定の送信時間間隔（ＴＴＩ）においてホップを採用することによってシステム帯域幅の一部又は全体にわたるアップリンク送信であるＣ４３に記載の無線通信装置。
［Ｃ４５］  前記電力制御プリアンブルは、単一時間サウンディング基準信号（ＳＲＳ）送信であるＣ４３に記載の無線通信装置。
［Ｃ４６］  前記電力制御プリアンブルは、アップリンクデータチャネルにおける非周期的チャネル品質インジケータ（ＣＱＩ）報告であるＣ４３に記載の無線通信装置。
［Ｃ４７］  前記メモリは、前記電力制御プリアンブルの送信を明示でスケジューリングすることに関連する命令をさらに保持するＣ４３に記載の無線通信装置。
［Ｃ４８］  前記メモリは、前記電力制御プリアンブルを送信時にアクセス端末によって用いるために明示で指定された情報とともに前記アップリンク許可を転送すること、前記ダウンリンクを介して前記電力制御コマンドと同時並行して第２のアップリンク許可を送信すること、及び前記電力制御コマンドと同時並行して送信された前記第２のアップリンク許可に応答して送られた前記アップリンクデータ送信を入手することに関連する命令をさらに保持するＣ４７に記載の無線通信装置。
［Ｃ４９］  前記メモリは、前記電力制御プリアンブルの送信を暗黙にスケジューリングすることに関連する命令をさらに保持するＣ４３に記載の無線通信装置。
［Ｃ５０］  前記メモリは、前記アップリンク許可の転送前にアクセス端末及び基地局に関して定義された予め決められた情報を利用して前記アップリンク許可に応答して送信された前記電力制御プリアンブルを入手すること、及び前記電力制御コマンドの送信前に転送された前記アップリンク許可を利用することによって送られた前記アップリンクデータ送信を入手することに関連する命令をさらに保持するＣ４９に記載の無線通信装置。
［Ｃ５１］  前記メモリは、トリガー条件の発生時に前記アップリンクデータ送信に応答して電力制御コマンドを転送することに関連する命令をさらに保持するＣ４３に記載の無線通信装置。
［Ｃ５２］  無線通信環境においてアクセス端末によって利用するために電力制御プリアンブルに基づいて電力制御コマンドを生成するのを可能にする無線通信装置であって、
ダウンリンクにおいてアップリンク許可を送信するための手段と、
開ループ推定値から決定された電力レベルで送信された電力制御プリアンブルを入手するための手段と、
前記電力レベルを訂正する電力制御コマンドを送信するための手段と、
前記訂正された電力レベルでアップリンクデータ送信を入手するための手段と、を備える、無線通信装置。
［Ｃ５３］  前記電力制御プリアンブルは、チャネルをサウンディングし及び所定の送信時間間隔（ＴＴＩ）においてホップを採用することによってシステム帯域幅全体の一部にわたるアップリンク送信であるＣ５２に記載の無線通信装置。
［Ｃ５４］  前記電力制御プリアンブルは、単一時間サウンディング基準信号（ＳＲＳ）送信であるＣ５２に記載の無線通信装置。
［Ｃ５５］  前記電力制御プリアンブルは、アップリンクデータチャネルにおける非周期的チャネル品質インジケータ（ＣＱＩ）報告であるＣ５２に記載の無線通信装置。
［Ｃ５６］  前記電力制御プリアンブルの送信を明示でスケジューリングするための手段と、
前記電力制御プリアンブルを送信時にアクセス端末によって利用するために明示で指定された情報とともに前記アップリンク許可を送信するための手段と、
前記ダウンリンクを介して前記電力制御コマンドと同時並行して第２のアップリンク許可を送信するための手段と、
前記第２のアップリンク許可に応答して送られた前記アップリンクデータ送信を入手するための手段と、をさらに備えるＣ５２に記載の無線通信装置。
［Ｃ５７］  前記電力制御プリアンブルの送信を暗黙にスケジューリングするための手段と、前記アップリンク許可を送信する前にアクセス端末及び基地局に関して説明された予め決められた情報を利用して前記アップリンク許可に応答して送信された前記電力制御プリアンブルを入手するための手段と、
前記電力制御コマンドの送信前に転送された前記アップリンク許可を利用することによって送られた前記アップリンクデータ送信を入手するための手段と、をさらに備えるＣ５２に記載の無線通信装置。
［Ｃ５８］  トリガー条件の発生時に前記アップリンクデータ送信に応答して電力制御コマンドを転送するための手段をさらに備えるＣ５２に記載の無線通信装置。
［Ｃ５９］  機械によって読み取り可能な媒体であって、
ダウンリンクにおいてアップリンク許可を送信し、開ループ推定値から決定された電力レベルで送信された電力制御プリアンブルを入手し、前記電力レベルを訂正する電力制御コマンドを送信し、及び前記訂正された電力レベルでアップリンクデータ送信を入手するための機械によって実行可能な命令を格納している、機械によって読み取り可能な媒体。
［Ｃ６０］  前記電力制御プリアンブルは、チャネルをサウンディングし及び所定の送信時間間隔（ＴＴＩ）においてホップを採用することによってシステム帯域幅の一部又は全体にわたるアップリンク送信であるＣ５９に記載の機械によって読み取り可能な媒体。
［Ｃ６１］  前記電力制御プリアンブルは、単一時間サウンディング基準信号（ＳＲＳ）送信であるＣ５９に記載の機械によって読み取り可能な媒体。
［Ｃ６２］  前記電力制御プリアンブルは、アップリンクデータチャネルにおける非周期的チャネル品質インジケータ（ＣＱＩ）報告であるＣ５９に記載の機械によって読み取り可能な媒体。
［Ｃ６３］  前記機械によって実行可能な命令は、前記電力制御プリアンブルの送信を明示でスケジューリングすることと、前記電力制御プリアンブルを送信時にアクセス端末によって利用するために明示で指定された情報とともに前記アップリンク許可を送信することと、前記ダウンリンクを介して前記電力制御コマンドと同時並行して第２のアップリンク許可を送信することと、前記第２のアップリンク許可に応答して送られた前記アップリンクデータ送信を入手すること、とをさらに備えるＣ５９に記載の機械によって読み取り可能な媒体。
［Ｃ６４］  前記機械によって実行可能な命令は、前記電力制御プリアンブルの送信を暗黙にスケジューリングすることと、前記アップリンク許可を送信する前にアクセス端末及び基地局に関して説明された予め決められた情報を利用して前記アップリンク許可に応答して送信された前記電力制御プリアンブルを入手することと、前記電力制御コマンドの送信前に転送された前記アップリンク許可を利用することによって送られた前記アップリンクデータ送信を入手すること、とをさらに備えるＣ５９に記載の機械によって読み取り可能な媒体。
［Ｃ６５］  トリガー条件の発生時に前記アップリンクデータ送信に応答して電力制御コマンドを転送することをさらに備えるＣ５９に記載の機械によって読み取り可能な媒体。
［Ｃ６６］ 無線通信システムにおいて、
アクセス端末にアップリンク許可を送信し、
開ループ電力制御に基づいて設定された電力レベルで前記アクセス端末から送信された電力制御プリアンブルを受信し、
前記電力制御プリアンブルの解析に基づいて電力制御コマンドを生成し、  前記電力制御コマンドを前記アクセス端末に送信し、及び
前記訂正された電力レベルで前記アクセス端末から送られたアップリンクデータ送信を受信するように構成されたプロセッサであって、前記電力制御コマンドは、前記アクセス端末の前記電力レベルを訂正するプロセッサ、を備える装置。